(57)【要約】【課題】より適切な条件で通信を行うことが可能な無線端末を提供する。【解決手段】無線端末１は、１つ又は複数の無線アクセスポイントを有する無線通信装置２１０と通信を行う無線端末であって、位置特定部１１、距離推定部１２、及び処理設定部１３を備える。位置特定部１１は無線端末の利用者の位置を特定する。距離推定部１２は特定された位置から無線アクセスポイント２０２までの距離を推定する。処理設定部１３は推定された距離に基づいて通信に関する処理を設定する。【選択図】図２
2014143611.tif 000002
【特許請求の範囲】
【請求項１】
１つ又は複数の無線アクセスポイントを有する無線通信装置と通信を行う無線端末であって、
前記無線端末の利用者の位置を特定する位置特定部と、
特定された前記位置から前記無線アクセスポイントまでの距離を推定する距離推定部と、
推定された前記距離に関する情報に基づいて、通信に関する処理を設定する端末側処理設定部とを備えた、無線端末。
【請求項２】
１つ又は複数の無線アクセスポイントを有する無線通信装置と通信を行う無線端末であって、
前記無線端末の利用者の位置を特定する位置特定部と、
特定された前記位置から前記無線アクセスポイントまでの距離を推定する距離推定部と、
通信に関する処理を設定するために、推定された前記距離に関する情報を前記無線アクセスポイントに送信する送信部とを備えた、無線端末。
【請求項３】
１つ又は複数の無線アクセスポイントを有する無線通信装置と通信を行う無線端末であって、
前記無線端末の利用者の位置を特定する位置特定部と、
特定された前記位置に関する情報を前記無線通信装置に送信し、前記位置に関する情報に基づいて推定された前記無線端末と前記無線アクセスポイントまでの距離に関する情報を受信する通信部と、
前記距離に関する情報に基づいて通信に関する処理を設定する端末側処理設定部とを備えた、無線端末。
【請求項４】
１つ又は複数の無線アクセスポイントを有する無線通信装置と通信を行う無線端末であって、
前記無線端末の利用者の位置を特定する位置特定部と、
通信に関する処理を設定するために、特定された前記位置に関する情報を前記無線アクセスポイントに送信する送信部とを備えた、無線端末。
【請求項５】
前記端末側処理設定部は、前記無線端末から前記無線端末アクセスポイントへ通信するときのデータの通信速度若しくはデータのサイズ、又はＡＧＣの初期値を設定する、請求項１又は３に記載の無線端末。
【請求項６】
前記距離に関する情報は、複数の前記無線アクセスポイントのなかから通信を行う無線アクセスポイントとして設定すべき無線アクセスポイントについての情報を含んでおり、
前記端末側処理設定部は、前記設定すべき前記無線アクセスポイントを、通信を行う無線アクセスポイントとして設定する、請求項１又は３に記載の無線端末。
【請求項７】
前記通信に関する処理は、前記無線アクセスポイントから前記無線端末へ通信するときのデータの通信速度若しくはデータのサイズである、請求項２又は４に記載の無線端末。
【請求項８】
前記通信に関する処理は、複数の前記無線アクセスポイントのうちのいずれかを通信を行う無線アクセスポイントとして設定する処理である、請求項２又は４に記載の無線端末。
【請求項９】
請求項２記載の無線端末と、無線通信装置とを備えた無線通信システムであって、
前記無線通信装置は、
前記無線端末と通信を行う無線アクセスポイントと、
前記無線端末から送信される前記距離に関する情報に基づいて、通信に関する処理を設定する処理設定部とを有する、無線通信システム。
【請求項１０】
請求項３記載の無線端末と、無線通信装置とを備えた無線通信システムであって、
前記無線通信装置は、
前記無線端末と通信を行う無線アクセスポイントと、
前記無線端末から送信される前記位置に関する情報に基づいて前記無線アクセスポイントまでの距離を推定する距離推定部とを有し、
前記無線通信装置は、前記無線アクセスポイントを介して、推定された前記距離に関する情報を前記無線端末に送信する、無線通信システム。
【請求項１１】
請求項４記載の無線端末と、無線通信装置とを備えた無線通信システムであって、
前記無線通信装置は、
前記無線端末と通信を行う無線アクセスポイントと、
前記無線端末から送信される前記位置に関する情報に基づいて前記無線アクセスポイントまでの距離を推定する距離推定部と、
推定された前記距離に基づいて、通信に関する処理を設定する処理設定部とを有する、無線通信システム。
【請求項１２】
無線アクセスポイントを介して無線端末との通信を制御する無線通信制御装置であって、
前記無線端末から送信される、前記無線端末の利用者の位置から前記無線アクセスポイントまでの推定された距離に関する情報に基づいて、通信に関する処理を設定する処理設定部を備えた、無線通信制御装置。
【請求項１３】
無線アクセスポイントを介した無線端末との通信を制御する無線通信制御装置であって、
前記無線端末から送信される、前記無線端末の利用者の位置に関する情報に基づいて前記無線端末から前記無線アクセスポイントまでの距離を推定する距離推定部とを備え、
前記無線アクセスポイントを介して、推定された前記距離に関する情報を前記無線端末に送信する、無線通信制御装置。
【請求項１４】
無線アクセスポイントを介した無線端末との通信を制御する無線通信制御装置であって、
前記無線端末から送信される、前記無線端末の利用者の位置に関する情報に基づいて前記無線端末から前記無線アクセスポイントまでの距離を推定する距離推定部と、
推定された前記距離に関する情報に基づいて、通信に関する処理を設定する処理設定部とを備えた、無線通信制御装置。
【請求項１５】
前記処理設定部は、前記無線アクセスポイントから前記無線端末へ通信するときのデータの通信速度若しくはデータのサイズを設定する、請求項１２又は１４に記載の無線通信制御装置。
【請求項１６】
前記距離に関する情報は、複数の前記無線アクセスポイントのなかから通信を行う無線アクセスポイントとして設定すべき無線アクセスポイントについての情報を含んでおり、
前記処理設定部は、前記設定すべき前記無線アクセスポイントを、前記無線端末と通信を行う無線アクセスポイントとして設定する、請求項１２又は１４に記載の無線通信制御装置。
【請求項１７】
無線端末の利用者の位置を特定する位置特定ステップと、
特定された前記座席位置から前記無線アクセスポイントまでの距離を推定する距離推定ステップと、
推定された前記距離に基づいて、通信に関する処理を設定する処理設定ステップとを備えた、無線通信制御方法。
【請求項１８】
請求項１７に記載の通信制御方法の、前記位置特定ステップと、前記距離推定ステップと、前記処理設定ステップとをコンピュータに実行させるプログラム。
【請求項１９】
請求項１８記載のプログラムを記録した記録媒体であって、コンピュータにより処理可能な記録媒体。
【発明の詳細な説明】
【技術分野】
【０００１】
本開示は、無線端末、無線通信システム、無線通信制御装置、及び無線通信制御方法に関する。
【背景技術】
【０００２】
従来、航空機内にインフライトエンターテイメント（ＩＦＥ＝In-Flight Entertainment）システムが設けられており、搭乗者は、映画、音楽等のＡＶコンテンツ、ゲーム、インターネット閲覧等を行うことが出来る。
このようなＩＦＥシステムとしては、航空機内に設けられた機内サーバと各座席に設けられたシートモニターが無線通信によって接続され、無線を介してＡＶコンテンツ等のデータが機内サーバからシートモニターに送信される構成が開示されている（例えば、特許文献１参照。）。
【０００３】
一方、近年、搭乗者の多くはスマートフォン等の無線端末を携帯しており、この無線端末によって、ＩＦＥシステムと通信を行い、コンテンツ等を利用することが要望されている。
【先行技術文献】
【特許文献】
【０００４】
【特許文献１】特開２００７−２４３８８４号公報
【発明の概要】
【発明が解決しようとする課題】
【０００５】
しかしながら、上記従来の構成では以下に示すような問題点を有している。
上記のＩＦＥシステムのような通信装置の無線アクセスポイントから各座席までの距離が異なっているため、各無線端末は無線アクセスポイントと適切な条件で通信を行うことが出来なかった。
本開示は、より適切な条件で通信を行うことが可能な無線端末、無線通信システム、無線通信制御装置、及び無線通信制御方法を提供する。
【課題を解決するための手段】
【０００６】
本開示における第一の構成の無線端末は、１つ又は複数の無線アクセスポイントを有する無線通信装置と通信を行う無線端末であって、位置特定部と、距離推定部と、端末側処理設定部とを備える。位置特定部は、無線端末の利用者の位置を特定する。距離推定部は、特定された位置から無線アクセスポイントまでの距離を推定する。端末側処理設定部は、推定された距離に基づいて、通信に関する処理を設定する。
【０００７】
また、本開示における第二の構成の無線端末は、１つ又は複数の無線アクセスポイントを有する無線通信装置と通信を行う無線端末であって、位置特定部と、距離推定部と、送信部とを備える。位置特定部は、無線端末の利用者の位置を特定する。距離推定部は、特定された前記位置から無線アクセスポイントまでの距離を推定する。送信部は、通信に関する処理を設定するために、推定された前記距離に関する情報を前記無線アクセスポイントに送信する。
【０００８】
また、本開示における第三の構成の無線端末は、１つ又は複数の無線アクセスポイントを有する無線通信装置と通信を行う無線端末であって、位置特定部と、通信部と、端末側処理設定部とを備えている。位置特定部は、無線端末の利用者の位置を特定する。通信部は、特定された位置に関する情報を無線通信装置に送信し、位置に関する情報に基づいて推定された無線端末と無線アクセスポイントまでの距離に関する情報を受信する。端末側処理設定部は、距離に関する情報に基づいて通信に関する処理を設定する。
【０００９】
また、本開示における第四の構成の無線端末は、１つ又は複数の無線アクセスポイントを有する無線通信装置と通信を行う無線端末であって、位置特定部と、送信部とを備える。位置特定部は、無線端末の利用者の位置を特定する。送信部は、通信に関する処理を設定するために、特定された位置に関する情報を無線アクセスポイントに送信する。
また、本開示における第一の構成の無線通信制御装置は、無線アクセスポイントを介した無線端末との通信を制御する無線通信制御装置であって、処理設定部を備えている。処理設定部は、無線端末から送信される、無線端末の利用者の位置から無線アクセスポイントまでの推定された距離に関する情報に基づいて、通信に関する処理を設定する。
【００１０】
また、本開示における第二の構成の無線通信制御装置は、無線アクセスポイントを介した無線端末との通信を制御する無線通信制御装置であって、距離推定部を備えている。距離推定部は、無線端末から送信される、無線端末の利用者の位置に関する情報に基づいて無線端末から無線アクセスポイントまでの距離を推定する。無線通信制御部は、無線アクセスポイントを介して、推定された距離に関する情報を無線端末に送信する。
【００１１】
また、本開示における第三の構成の無線通信制御装置は、無線アクセスポイントを介した無線端末との通信を制御する無線通信制御装置であって、距離推定部と、処理設定部とを備えている。距離推定部は、無線端末から送信される、無線端末の利用者の位置に関する情報に基づいて無線端末から無線アクセスポイントまでの距離を推定する。処理設定部は、推定された距離に関する情報に基づいて、通信に関する処理を設定する。
【００１２】
また、本開示における無線通信制御方法は、位置特定ステップと、距離推定ステップと、処理設定ステップとを備える。位置特定ステップは、無線端末の利用者の座席位置を特定する。距離推定ステップは、特定された位置から無線アクセスポイントまでの距離を推定する。処理設定ステップは、推定された距離に基づいて、通信に関する処理を設定する。
【発明の効果】
【００１３】
本開示に係る無線端末、無線通信システム、無線通信制御装置、及び無線通信制御方法によれば、より適切な条件で通信を行うことが出来る。
【図面の簡単な説明】
【００１４】
【図１】実施の形態１における航空機の構成を示すブロック図
【図２】実施の形態１における無線端末及びＩＦＥシステムのブロック図
【図３】（ａ）実施の形態１における無線端末の制御フローを示す図、（ｂ）実施の形態１における無線通信装置の制御フローを示す図
【図４】実施の形態２における無線端末及びＩＦＥシステムのブロック図
【図５】（ａ）実施の形態２における無線端末の制御フローを示す図、（ｂ）実施の形態２における無線通信装置の制御フローを示す図
【発明を実施するための形態】
【００１５】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、出願人は、当業者が本開示を十分に理解するために添付図面および以下の説明を提供するのであって、これらによって特許請求の範囲に記載の主題を限定することを意図するものではない。
【００１６】
（実施の形態１）
本開示の実施の形態１に係る無線端末、無線通信制御部及び無線通信システムについて、図１〜図３を用いて説明すれば以下の通りである。
＜１−１．構成＞
（１−１−１．航空機２）
図１は、本実施の形態１に係る航空機２の構成を示す図である。
【００１７】
図１に示すように、航空機２には、インフライトエンターテイメント（以下、ＩＦＥという）システム２０、及び座席２１が設けられている。ＩＦＥシステム２０は、機内サーバ２０１と無線通信装置２１０とを有している。
機内サーバ２０１には、映画、音楽等のＡＶコンテンツ、航空会社のポータルサイト等が保存されている。また、図１には、搭乗者が航空機２内に携帯した無線端末１が座席２１ごとに示されている。
【００１８】
無線通信装置２１０は無線端末１と通信を行うものであって、通信制御部２２０と複数の無線アクセスポイント（以下、ＡＰという）２０２を有している。
図２は、本実施の形態１に係る無線端末１及びＩＦＥシステム２０の構成を示すブロック図である。図２に示すように、ＩＦＥシステム２０には、無線通信装置２１０と機内サーバ２０１が設けられており、無線通信装置２１０には、複数の無線ＡＰ２０２と無線端末１との通信の制御を行う通信制御部２２０（無線通信制御装置の一例）が設けられている。この通信制御部２２０は、後述する無線端末１の通信部１４から送信されてくる距離に関する情報に基づいて、無線ＡＰ２０２から無線端末１に送信する際の種々の設定を行う。種々の設定としては、無線ＡＰ２０２から無線端末１へのＰＨＹ通信速度、データサイズ、及び無線ＡＰ２０２の選択等が挙げられる。
【００１９】
すなわち、距離が短い場合には通信速度を早くすることが出来るため、距離が短い場合には転送速度を大きく（例えばＩＥＥＥ８０２．１１ｇの場合には、５４Ｍｂｐｓ）し、距離が長い場合には転送速度を小さく（例えばＩＥＥＥ８０２．１１ｇの場合には、６Ｍｂｐｓ）するように設定が行われる。
また、距離が短い場合には、データサイズを大きく設定することが出来、距離が長い場合にはデータサイズを小さく設定することが出来る。例えば、距離が短い場合には高画質の動画を送信するように設定が行われ、距離が長い場合には画質をおとすように設定が行われる。
【００２０】
また、選択する無線ＡＰ２０２は、例えば、座席位置から最も近い無線ＡＰが選択される。
（１−１−２．無線端末１）
次に、本実施の形態１の無線端末１について説明する。本実施の形態１の無線端末１はタブレット型の端末である。
【００２１】
図２は、本実施の形態１に係る無線端末１及びＩＦＥシステム２０の構成を示すブロック図である。図２に示すように、無線端末１は、位置特定部１１、距離推定部１２、処理設定部１３、及び通信部１４を備えている。
位置特定部１１は、無線端末１の利用者の位置を特定する。具体的には、本実施の形態１の無線端末１はタブレット型の端末であるため、搭乗者によって座席番号等が無線端末１に手入力され、無線端末１の利用者の位置が特定される。
【００２２】
距離推定部１２は、座席位置から無線ＡＰ２０２までの距離を推定する。具体的には、距離推定部１２は、航空機２の各座席２１から無線ＡＰ２０２までの距離をテーブルとして記憶している。そして、位置特定部１１によって特定された座席位置情報から距離に関する情報を取得する。尚、無線ＡＰ２０２が複数存在する場合には、アクセスする無線ＡＰ２０２もテーブルに示されている。
【００２３】
処理設定部１３は、距離推定部１２によって推定された距離に基づいて種々の設定を行う。種々の設定としては、例えば、無線端末１から無線ＡＰ２０２へのＰＨＹ通信速度、データサイズ、ＡＧＣの初期値等である。無線ＡＰ２０２からの距離が近い場合、ＡＧＣ初期値が大きくなるように設定される。これは、航空機の場合、天井が低くアクセスポイントの近傍に無線端末１が存在する場合があり、このような場合には無線ＡＰ２０２からの距離が近いときにはＡＧＣ初期値を大きくすることにより、安定して電波を受信することが出来るためである。
【００２４】
通信部１４は、距離推定部１２によって推定された距離に関する情報を無線ＡＰ２０２に送信する。
＜１−２．動作＞
次に、本実施の形態の無線通信制御方法の一例について説明する。
図３（ａ）は、無線端末１の動作を示す制御フローを示す図であり、図３（ｂ）は航空機２の無線通信装置２１０の動作を示す制御フローを示す図である。
【００２５】
図３のＳ１１において、航空機２に搭乗した無線端末１の利用者は、通信部１４によって無線ＡＰ２０２を介して機内サーバ２０１にアクセスし、機内サーバ２０１と接続する。
次に、利用者は機内サーバに存在するポータルサイトから通信制御ソフトＡ１を無線端末１にダウンロードする。すなわち、Ｓ２１において機内サーバ２０１内の通信制御ソフトＡ１を無線通信装置２１０が無線端末１に送信し、Ｓ１２において、無線端末１が通信制御ソフトＡ１を受信する。
【００２６】
続いて、Ｓ１３（位置特定ステップの一例）において、無線端末１の利用者の座席位置が位置特定部１１によって特定される。この特定は、搭乗者によって座席番号が無線端末１に手入力されることによって行われる。
次に、Ｓ１４（距離推定ステップの一例）において、距離推定部１２は、位置特定部１１によって特定された座席位置に基づいて無線ＡＰ２０２の選択及び無線端末１から無線ＡＰ２０２までの距離の推定を行う。距離推定部１２は、座席毎に、使用する無線ＡＰと使用する無線ＡＰまでの距離が示されたテーブルを有しており、そのテーブルに基づいて距離の推定を行う。このテーブルは、航空機２の設計の際の無線ＡＰ２０２及び座席２１の配置によって決定される。
【００２７】
次に、Ｓ１５において、推定された距離に関する情報Ａ２が、通信部１４を介して無線ＡＰ２０２へ送信される。
続いて、Ｓ１６（処理設定ステップの一例）において、無線端末１の処理設定部１３は、無線端末１の通信に関する処理の設定を行う。具体的には、上述したように無線端末１と通信を行う無線ＡＰ２０２の選択、無線端末１から無線ＡＰ２０２へのＰＨＹ通信速度並びにデータサイズ、及びＡＧＣ初期値等の設定が行われる。
【００２８】
一方、Ｓ２２において、無線通信装置２１０は距離に関する情報Ａ２を受信すると、Ｓ２３において、処理設定部２０３によって無線通信装置２１０の通信に関する処理の設定が行われる。具体的には、上述したように無線ＡＰ２０２から無線端末１へのＰＨＹ通信速度並びにデータサイズ等の設定、送受信を行う無線ＡＰ２０２の設定が行われる。
以上のような動作により、無線端末１と無線通信装置２１０の間の通信の設定が最適化される。
【００２９】
＜１−３．効果等＞
（１−３−１）
以上のように、本実施の形態において、無線端末１は、複数の無線ＡＰ２０２を有する無線通信装置２１０と通信を行う無線端末であって、位置特定部１１と、距離推定部１２と、処理設定部１３（端末側処理設定部の一例）とを備える。位置特定部１１は、無線端末１の利用者の座席位置を特定する。距離推定部１２は、特定された座席位置（位置の一例）から無線ＡＰ２０２までの距離を推定する。処理設定部１３は、推定された距離に関する情報に基づいて、通信に関する処理を設定する。
【００３０】
これにより、無線ＡＰ２０２側から無線端末１側に向かう通信に関する処理を無線ＡＰからの距離に応じて設定することが出来るため、より適切な条件で通信を行うことが出来る。
（１−３−２）
また、本実施の形態において、処理設定部１３（端末側処理設定部の一例）は、無線端末１から無線ＡＰ２０２へ通信するときのデータの通信速度若しくはデータのサイズ、又はＡＧＣの初期値を設定する。
【００３１】
これにより、無線ＡＰ２０２からの距離が長い場合にはデータの通信速度を遅くし、無線ＡＰ２０２からの距離が短い場合にはデータの通信速度を速くすることが出来る。また、無線ＡＰ２０２からの距離が長い場合にはデータのサイズを小さくし、無線ＡＰ２０２からの距離が短い場合にはデータのサイズを大きくすることが出来る。また、無線ＡＰ２０２からの距離が近いほど、ＡＧＣの初期値を大きく設定することにより、電波を安定して受信することが出来る。
【００３２】
このように、無線端末１は、無線ＡＰ２０２からの距離に応じた適切な通信を行うことが出来る。
（１−３−３）
また、本実施の形態において、距離に関する情報は、複数の無線ＡＰ２０２のなかから通信を行う無線アクセスポイントとして設定すべき無線ＡＰについての情報を含んでおり、処理設定部１３（端末側処理設定部の一例）は、設定すべき無線ＡＰ２０２を、通信を行う無線ＡＰ２０２として設定する。
【００３３】
これにより、例えば、無線端末１の利用者の座席から最も近い無線ＡＰ２０２を、その無線端末１との通信用として設定することが可能となり、より適切な通信を行うことが出来る。
（１−３−４）
また、本実施の形態において、無線端末１は、複数の無線ＡＰ２０２を有する無線通信装置２１０と通信を行う無線端末であって、位置特定部１１と、距離推定部１２と、通信部１４（送信部の一例）とを備える。位置特定部１１は、無線端末１の利用者の座席位置（位置の一例）を特定する。距離推定部１２は、特定された前記座席位置から前記無線アクセスポイントまでの距離を推定する。通信部１４は、通信に関する処理を設定するために、推定された距離に関する情報を無線ＡＰ２０２に送信する。
【００３４】
これにより、無線通信装置２１０に距離に関する情報を送信することが出来るため、無線通信装置２１０が、無線ＡＰ２０２から無線端末１までの距離に応じて通信に関する処理を設定することが可能となり、より適切な条件で通信を行うことが出来る。
（１−３−５）
また、本実施の形態において、通信に関する処理は、無線ＡＰ２０２から無線端末１へ通信するときのデータの通信速度若しくはデータのサイズを設定する処理を含む。
【００３５】
これにより、無線通信装置２１０は、無線ＡＰ２０２から無線端末１までの距離が長い場合にはデータの通信速度を遅くし、無線ＡＰ２０２からの距離が短い場合にはデータの通信速度を速くすることが出来る。また、無線通信装置２１０は、無線ＡＰ２０２からの距離が長い場合にはデータのサイズを小さくし、無線ＡＰ２０２からの距離が短い場合にはデータのサイズを大きくすることが出来る。
【００３６】
（１−３−６）
また、本実施の形態において、通信に関する処理は、複数の無線ＡＰ２０２のうちのいずれかを通信を行う無線ＡＰ２０２として設定する処理である。
これにより、例えば、無線端末１の利用者の座席から最も近い無線ＡＰ２０２を、その無線端末１との通信用として設定することが可能となり、より適切な通信を行うことが出来る。
【００３７】
（１−３−７）
また、本実施の形態において、無線通信システムは、上記無線端末１と、無線通信装置２１０とを備えた無線通信システムであって、無線通信装置２１０は、無線ＡＰ２０２と、処理設定部２０３とを有する。無線ＡＰ２０２は、無線端末１と通信を行う。処理設定部２０３は、無線端末１から送信される距離に関する情報に基づいて通信に関する処理を設定する。
【００３８】
これにより、無線端末１側及び無線通信装置２１０側の双方が、距離に応じた通信に関する処理を設定することが出来るため、より適切な通信を行うことが出来る。
（１−３−８）
また、本実施の形態において、通信制御部２２０（無線通信制御装置の一例）は、無線ＡＰ２０２を介した無線端末１との通信を制御する無線通信制御装置であって、処理設定部２０３を備えている。処理設定部２０３は、無線端末１から送信される、無線端末１の利用者の座席位置（位置の一例）から無線ＡＰ２０２までの推定された距離に関する情報に基づいて、通信に関する処理を設定する。
【００３９】
これにより、通信制御部２２０が、無線ＡＰ２０２から無線端末１までの距離に応じて通信に関する処理を設定することが可能となり、より適切な条件で通信を行うことが出来る。
（１−３−９）
また、本実施の形態において、処理設定部２０３は、無線ＡＰ２０２から無線端末１００へ通信するときのデータの通信速度若しくはデータのサイズを設定する。
【００４０】
これにより、通信制御部２２０は、無線ＡＰ２０２からの距離が長い場合にはデータの通信速度を遅くし、無線ＡＰ２０２からの距離が短い場合にはデータの通信速度を速くすることが出来る。また、通信制御部２２０は、無線ＡＰ２０２からの距離が長い場合にはデータのサイズを小さくし、無線ＡＰ２０２からの距離が短い場合にはデータのサイズを大きくすることが出来る。
【００４１】
（１−３−１０）
また、本実施の形態において、距離に関する情報は、複数の無線ＡＰ２０２のなかから通信を行う無線ＡＰ２０２として設定すべき無線ＡＰ２０２についての情報を含んでおり、処理設定部２０３は、設定すべき無線ＡＰ２０２を、通信を行う無線ＡＰ２０２として設定する。
【００４２】
これにより、例えば、無線端末１の利用者の座席から最も近い無線ＡＰ２０２を、その無線端末１との通信用として設定することが可能となり、より適切な通信を行うことが出来る。
（１−３−１１）
以上のように、本実施の形態において、無線通信制御方法は、Ｓ１３（位置特定ステップの一例）と、Ｓ１４（距離推定ステップの一例）と、Ｓ１６（処理設定ステップの一例）とを備えている。Ｓ１３では、無線端末の利用者の座席位置が特定される。Ｓ１４では、特定された座席位置から無線アクセスポイント２０２までの距離が推定される。Ｓ１６では、推定された距離に基づいて、通信に関する処理が設定される。
【００４３】
これにより、無線端末１と無線アクセスポイント２０２の間の通信に関する処理を無線アクセスポイント２０２からの距離に応じて設定することが出来るため、より適切な条件で通信を行うことが出来る。
（実施の形態２）
本開示の実施の形態２に係る無線端末、無線通信制御部及び無線通信システムについて、図４及び図５を用いて説明すれば、以下の通りである。
【００４４】
本実施の形態２では、無線端末１から無線ＡＰ２０２までの距離の推定が無線通信装置３１０側で行われる。尚、実施の形態１で説明した内容については、適宜省略する。
＜２−１．構成＞
（２−１−１．ＩＦＥシステム３０）
図４は、本実施の形態２に係る無線端末１及びＩＦＥシステム３０の構成を示す図である。
【００４５】
図４に示すように、本実施の形態２のＩＦＥシステム３０には、無線通信装置３１０と機内サーバ２０１が設けられている。無線通信装置３１０は、無線端末１と通信を行う装置であって、複数の無線ＡＰ２０２と、通信制御部３２０を備えている。通信制御部３２０は、無線ＡＰ２０２を介した無線端末１との通信の制御を行い、通信制御部３２０には、処理設定部２０３と距離推定部２０４が設けられている。
【００４６】
距離推定部２０４は、無線端末１から送信されてくる座席位置情報Ａ３に基づいて、適切な位置の無線ＡＰ２０２を選択し、その選択された無線ＡＰ２０２と座席位置との距離を特定する。
（２−１−２．無線端末１００）
図４に示すように、本実施の形態２に係る無線端末１００は、位置特定部１１、処理設定部１３と、通信部１４とを備えている。すなわち、本実施の形態２の無線端末１００では、実施の形態１の無線端末１と異なり、距離推定部１２が設けられていない。
【００４７】
＜２−２．動作＞
次に、本実施の形態の無線通信制御方法の一例について説明する。
図５（ａ）は、無線端末１の動作を示す制御フローを示す図であり、図５（ｂ）は航空機２の無線通信装置３１０の動作を示す制御フローを示す図である。
図５（ａ）のＳ１０１において、航空機２に搭乗した無線端末１の利用者は、通信部１４によって無線ＡＰ２０２を介して機内サーバ２０１にアクセスし、機内サーバ２０１と接続する。
【００４８】
次に、利用者は機内サーバに存在するポータルサイトから通信制御ソフトＡ１を無線端末１にダウンロードする。すなわち、Ｓ２０１において無線通信装置３１０が、機内サーバ２０１から無線端末１に通信制御ソフトＡ３を送信し、Ｓ１０２において、無線端末１が通信制御ソフトＡ３を受信する。
続いて、Ｓ１０３（位置特定ステップの一例）において、無線端末１の利用者の座席位置が位置特定部１１によって特定される。この特定は、搭乗者によって座席番号が無線端末１に手入力されることによって行われる。
【００４９】
次に、Ｓ１０４（距離推定ステップの一例）において、無線端末１は通信部１４を介して、特定された座席位置に関する情報Ａ４を無線ＡＰ２０２へ送信する。
無線通信装置３１０の距離推定部２０４は、送信されてきた座席位置に関する情報Ａ４に基づいて、Ｓ２０３において無線端末１に対して適切な位置にある無線ＡＰ２０２を特定し、特定された無線ＡＰ２０２から無線端末１（座席位置）までの距離を推定する。この距離の推定は、実施の形態１の距離推定部１２が有しているものと同様のテーブルに基づいて距離推定部２０４によって行われる。
【００５０】
次に、Ｓ２０３において、無線通信装置３１０は無線ＡＰ２０２を介して距離に関する情報Ａ５を無線端末１へ送信する。
この距離に関する情報Ａ５を受けて（Ｓ１０５）、Ｓ１０６において無線端末１の処理設定部１３は通信に関する処理の設定を行う。
一方、無線通信装置３１０側もＳ２０４において、Ｓ２０２で推定した距離に関する情報に基づいて通信に関する処理の設定を行う。
【００５１】
以上のように、無線ＡＰ２０２と無線端末１の距離を推定する距離推定部は、無線通信装置側にあってもよく、無線端末１と無線通信装置２１０の間の通信の設定が最適化される。
＜２−３．効果等＞
（２−３−１）
以上のように、本実施の形態において、無線端末１００は、複数の無線ＡＰ２０２を有する無線通信装置３１０と通信を行う無線端末であって、位置特定部１１と、通信部１４と、処理設定部１３とを備えている。位置特定部１１は、無線端末の利用者の座席位置（位置の一例）を特定する。通信部１４は、特定された座席位置に関する情報を無線通信装置２１０に送信し、座席位置に関する情報に基づいて推定された無線端末１００と無線ＡＰ２０２までの距離に関する情報を受信する。
【００５２】
これにより、無線ＡＰ２０２から無線端末１００までの距離に関する情報を無線通信装置３１０から受信することが出来、無線ＡＰ２０２側から無線端末１００側に向かう通信に関する処理を距離に応じて設定することが出来るため、より適切な条件で通信を行うことが出来る。
（２−３−２）
また、本実施の形態において、処理設定部１３（端末側処理設定部の一例）は、無線端末ＡＰ２０２から無線端末１００へ通信するときのデータの通信速度若しくはデータのサイズ、又はＡＧＣの初期値を設定する。
【００５３】
これにより、無線ＡＰ２０２から無線端末１までの距離が長い場合にはデータの通信速度を遅くし、無線ＡＰ２０２からの距離が短い場合にはデータの通信速度を速くすることが出来る。また、無線ＡＰ２０２からの距離が長い場合にはデータのサイズを小さくし、無線ＡＰ２０２からの距離が短い場合にはデータのサイズを大きくすることが出来る。また、無線ＡＰ２０２からの距離が近いほど、ＡＧＣの初期値を大きく設定することにより、電波を安定して受信することが出来る。
【００５４】
このように、無線端末１００は、無線ＡＰ２０２からの距離に応じた適切な通信を行うことが出来る。
（２−３−３）
また、本実施の形態において、距離に関する情報は、複数の無線ＡＰ２０２のなかから通信を行う無線ＡＰとして設定すべき無線ＡＰについての情報を含んでおり、処理設定部１３（端末側処理設定部の一例）は、設定すべき無線ＡＰ２０２を、通信を行う無線ＡＰ２０２として設定する。
【００５５】
これにより、例えば、無線端末１００の利用者の座席から最も近い無線ＡＰ２０２を、その無線端末１００との通信用として設定することが可能となり、より適切な通信を行うことが出来る。
（２−３−４）
また、本実施の形態において、無線通信システムは、無線端末１００と、無線通信装置３１０とを備える。無線通信装置３１０は、無線ＡＰ２０２と、距離推定部２０４とを有している。無線ＡＰ２０２は、無線端末１００と通信を行う。距離推定部２０４は、無線端末１００から送信される位置に関する情報に基づいて無線ＡＰ２０２までの距離を推定する。無線通信装置３１０は、無線ＡＰ２０２を介して、推定された距離に関する情報を無線端末１００に送信する。
【００５６】
これにより、無線ＡＰ２０２から無線端末１００までの距離に関する情報を無線通信装置３１０から無線端末１００が受信することが出来、無線端末１００側から無線ＡＰ２０２側に向かう通信に関する処理を距離に応じて設定することが出来るため、より最適な条件で通信を行うことが出来る。
（２−３−５）
また、本実施の形態において、通信制御部３２０（無線通信制御装置の一例）は、無線ＡＰ２０２を介した無線端末１００との通信を制御する無線通信制御装置であって、距離推定部２０４を備えている。距離推定部２０４は、無線端末１００から送信される、無線端末１００の利用者の位置に関する情報に基づいて無線端末１００から無線ＡＰ２０２までの距離を推定する。通信制御部３２０は、無線ＡＰ２０２を介して、推定された距離に関する情報を無線端末１００に送信する。
【００５７】
これにより、無線ＡＰ２０２から無線端末１００までの距離に関する情報を無線端末１００に送信することが出来、無線端末１００は、無線端末１００側から無線ＡＰ２０２側に向かう通信に関する処理を距離に応じて設定することが出来るため、より適切な条件で通信を行うことが出来る。
（２−３−６）
また、本実施の形態の無線端末１は、複数の無線ＡＰ２０２を有する無線通信装置３１０と通信を行う無線端末であって、位置特定部１１と、通信部１４（送信部の一例）とを備えている。位置特定部１１は、無線端末１の利用者の位置を特定する。通信部１４は、通信に関する処理を設定するために、特定された位置に関する情報を無線ＡＰ２０２に送信する。
【００５８】
これにより、無線通信装置３１０に距離に関する情報を送信することが出来るため、無線通信装置３１０が、無線ＡＰ２０２から無線端末１までの距離に応じて、少なくとも無線通信装置３１０側から無線端末１側に向かう通信に関する処理を設定することが可能となり、より適切な条件で通信を行うことが出来る。
（２−３−７）
また、本実施の形態において、通信に関する処理は、無線ＡＰ２０２から無線端末１へ通信するときのデータの通信速度若しくはデータのサイズである。
【００５９】
これにより、無線通信装置３１０は、無線ＡＰ２０２からの距離が長い場合にはデータの通信速度を遅くし、無線ＡＰ２０２からの距離が短い場合にはデータの通信速度を速くすることが出来る。また、無線通信装置３１０は、無線ＡＰ２０２からの距離が長い場合にはデータのサイズを小さくし、無線ＡＰ２０２からの距離が短い場合にはデータのサイズを大きくすることが出来る。
【００６０】
（２−３−８）
また、本実施の形態において、通信に関する処理は、複数の無線ＡＰ２０２のうちのいずれかを通信を行う無線アクセスポイントとして設定する処理である。
これにより、例えば、無線端末１の利用者の座席から最も近い無線ＡＰ２０２を、その無線端末１との通信用として設定することが可能となり、より適切な通信を行うことが出来る。
【００６１】
（２−３−９）
また、本実施の形態において、無線通信システムは、無線端末１００と、無線通信装置３１０とを備えた無線通信システムである。無線通信装置３１０は、無線ＡＰ２０２と、距離推定部２０４と、処理設定部２０３とを有する。無線ＡＰ２０２は、無線端末１００と通信を行う。距離推定部２０４は、無線端末１００から送信される位置に関する情報に基づいて無線ＡＰ２０２までの距離を推定する。処理設定部２０３は、推定された距離に基づいて、通信に関する処理を設定する。
【００６２】
これにより、無線端末１と無線アクセスポイント２０２の間の通信に関する処理を無線アクセスポイント２０２からの距離に応じて設定することが出来るため、より最適な条件で通信を行うことが出来る。
（２−３−１０）
また、本実施の形態において、通信制御部３２０（無線通信制御装置の一例）は、無線ＡＰ２０２を介した無線端末１００との通信を制御する無線通信制御装置であって、距離推定部２０４と、処理設定部２０３とを備えている。距離推定部２０４は、無線端末１００から送信される、無線端末１００の利用者の位置に関する情報に基づいて無線端末１００から無線ＡＰ２０２までの距離を推定する。処理設定部２０３は、推定された距離に関する情報に基づいて、通信に関する処理を設定する。
【００６３】
これにより、通信制御部３２０が、無線ＡＰ２０２から無線端末１までの距離に応じて通信に関する処理を設定することが可能となり、より適切な条件で通信を行うことが出来る。
（２−３−１１）
また、本実施の形態において、処理設定部２０３は、無線ＡＰ２０２から無線端末１００へ通信するときのデータの通信速度若しくはデータのサイズを設定する。
【００６４】
これにより、通信制御部３２０は、無線ＡＰ２０２からの距離が長い場合にはデータの通信速度を遅くし、無線ＡＰ２０２からの距離が短い場合にはデータの通信速度を速くすることが出来る。また、通信制御部３２０は、無線ＡＰ２０２からの距離が長い場合にはデータのサイズを小さくし、無線ＡＰ２０２からの距離が短い場合にはデータのサイズを大きくすることが出来る。
【００６５】
（２−３−１２）
また、本実施の形態において、距離に関する情報は、複数の無線ＡＰのなかから通信を行う無線ＡＰ２０２として設定すべき無線ＡＰ２０２についての情報を含んでおり、処理設定部２０３は、設定すべき無線ＡＰ２０２を、通信を行う無線ＡＰ２０２として設定する。
【００６６】
これにより、例えば、無線端末１の利用者の座席から最も近い無線ＡＰ２０２を、その無線端末１との通信用として設定することが可能となり、より適切な通信を行うことが出来る。
（２−３−１３）
以上のように、本実施の形態において、無線通信制御方法は、Ｓ１０３（位置特定ステップの一例）と、Ｓ２０２（距離推定ステップの一例）と、Ｓ１０６又は２０４（処理設定ステップの一例）とを備えている。Ｓ１０３では、無線端末の利用者の座席位置が特定される。Ｓ１０４では、特定された座席位置から無線アクセスポイント２０２までの距離が推定される。Ｓ１０６又はＳ２０４では、推定された前記距離に基づいて、通信に関する処理が設定される。
【００６７】
これにより、無線端末１と無線アクセスポイント２０２の間の通信に関する処理を無線アクセスポイント２０２からの距離に応じて設定することが出来るため、より適切な条件で通信を行うことが出来る。
［他の実施の形態］
以上、本開示の一実施の形態について説明したが、本開示は上記実施の形態に限定されるものではなく、本開示の要旨を逸脱しない範囲で種々の変更が可能である。
【００６８】
（Ａ）
上記実施の形態では、無線端末１、無線端末１００が処理設定部１３（端末側処理設定部の一例）を備えているが、処理設定部１３を備えていなくても良い。
無線端末１と無線通信装置３１０の間の通信では、無線通信装置３１０からＡＶコンテンツ等の大容量の動画像データが送信されることになるため、処理設定部１３が設けられていない場合であっても無線通信装置３１０から無線端末１への送信における通信速度、データサイズ等を距離に応じて設定することが出来、効果的に通信状態を安定することが出来る。
【００６９】
（Ｂ）
上記実施の形態では、無線端末１が距離に関する情報Ａ２を無線通信装置２１０に送信し、処理設定部２０３が無線通信装置２１０の通信に関する設定を行っており、無線端末１００が位置に関する情報Ａ４を無線通信装置３１０に送信し、処理設定部２０３が無線通信装置３１０の通信に関する設定を行っているが、無線通信装置２１０、３１０の通信に関する設定が行われなくても良い。
【００７０】
この場合であっても少なくとも無縁端末１、１００から無線通信装置２１０、３１０側への通信について、無線ＡＰ２０２からの距離に応じた設定を行うことが出来るため、従来よりも適切な通信を行うことが出来る。
尚、無線通信装置３１０から無線端末１への通信のほうが、無線端末１から無線通信装置３１０への通信よりもデータ量が多いため、通信状態の安定の面からは、無線端末１から無線通信装置３１０への通信に関する処理が距離に応じて設定されるよりも、無線通信装置３１０から無線端末１への通信に関する処理が距離に応じて設定されるほうが好ましい。
【００７１】
（Ｃ）
上記実施の形態では、位置特定部１１に手入力で座席位置を入力していたが、手入力に限らず、座席２１に座席番号を示すバーコード、２次元コード等が設けられ、無線端末１のカメラ機能によって読取ることによって無線端末１が座席位置を特定してもよい。尚、ＮＦＣ、無線タグ、赤外線通信など席を特定する通信手段が座席２１に設けられており、無線端末１と通信を行うことによって座席位置を特定する構成であっても良い。
【００７２】
（Ｄ）
また、上記実施の形態では、無線端末１、１００の利用者が搭乗後に機内サーバ２０１にアクセスして通信制御ソフトＡ１、Ａ３をダウンロードすると説明した。無線端末１、１００は通信制御ソフトＡ１、Ａ３をダウンロード出来さえすれば良く、例えば、外部に設置されたサーバから、搭乗前に利用者が予めダウンロードしておいても良い。また、カードとしてユーザに配布されてもよい。更に、通信制御ソフトＡ１、Ａ３は、無線端末１に最初からプリセットしてユーザに提供されていてもよい。これにより、ダウンロードの手間をかけることなく利用することが出来る。
【００７３】
（Ｅ）
また、上記実施の形態では、航空機２内に複数の無線ＡＰ２０２が設けられている場合について説明したが、航空機２内に無線ＡＰ２０２が１つしか設けられていなくても良い。この場合、無線ＡＰ２０２を選択する必要がないため、距離推定部１２、２０４の記憶しているテーブルには、１つの無線ＡＰ２０２からの距離のみ記載されることになる。
【００７４】
（Ｆ）
また、上記実施の形態では、無線端末と無線通信装置の間の通信に関する処理として、データ転送速度、データサイズ、ＡＧＣ初期値の設定、及び無線ＡＰの選択などを記載したが、いずれか１つの処理のみが行われてもよい。
（Ｇ）
上記実施の形態では、無線端末の一例としてタブレット型ＰＣを説明したが、タブレット型ＰＣに限らなくてもよく、例えば、スマートフォン等の携帯電話などであってもよい。
【００７５】
（Ｈ）
上記実施の形態では、利用者の位置の一例として航空機２の座席２１の位置を説明したが、航空機に限られるものでない。例えば、バス、船舶等の移動体の座席であってもよく、教室、ホール等の施設の座席等であってもよい。また、座席に限らず、場所であってもよい。要するに、利用者の位置を特定出来さえすればよい。
【００７６】
（Ｉ）
尚、上述した実施の形態の無線通信制御方法の動作の各ステップの全部または一部は、例えばプログラムを用いて実現されてもよい。そして、上記実施の形態の端末の動作の各ステップの全部または一部は、コンピュータにおいて、中央演算装置（ＣＰＵ）により行われても良い。上記プログラムはコンピュータと協働して動作する。
【００７７】
又、上記プログラムの利用形態としては、例えばコンピュータにより読取り可能なＲＯＭ等の記録媒体に記録されていてもよい。更に、プログラムの利用形態として、例えばインターネット等の伝送媒体、光、電波などの伝送媒体中を伝送し、コンピュータによって読取られる態様であってもよい。例えば、上記実施の形態の無線端末１が無線や有線によって、インターネットと接続され、上述した動作を実現するプログラムがインターネットを通じて伝送されてもよい。このコンピュータはＣＰＵ等のハードウェアに限らなくてもよく、ファームウェアや、ＯＳであってもよい。また、実施の形態の情報読取り方法の各ステップ、処理、工程等の全部または一部をハードウェアにより実現しても良いし、ソフトウェアにより実現しても良い。さらに、ソフトウェアおよびハードウェアの混在処理により実現しても良い。
【産業上の利用可能性】
【００７８】
本開示の無線端末、無線通信システム、無線通信制御装置及び無線通信制御方法は、より適切な条件で通信を行うことが可能な効果を有し、タブレット型の無線端末、無線端末と航空機内のＩＦＥシステムを備えた無線通信システム等として広く適用可能である。
【符号の説明】
【００７９】
１  端末
２  航空機
１１  位置特定部
１２  距離推定部
１３  処理設定部（端末側処理設定部の一例）
１４  通信部（送信部の一例）
２０  ＩＦＥシステム
３０  ＩＦＥシステム
２０１  機内サーバ
２０２  無線アクセスポイント
２０３  処理設定部
２０４  距離推定部
２１０  無線通信装置
２２０  通信制御部（無線通信制御装置の一例）
３１０  無線通信装置
３２０  通信制御部（無線通信制御装置の一例）
【図１】
2014143611.tif 000003
【図２】
2014143611.tif 000004
【図３】
2014143611.tif 000005
【図４】
2014143611.tif 000006
【図５】
2014143611.tif 000007